(57)【要約】【課題】遊技球の抜き作業中でも、切替部材の戻しを行うことができる遊技機における賞球装置を提供すること。【解決手段】遊技機１における賞球装置７は、球路３４に供給された遊技球Ｐを賞球ルートＡへ払い出し可能な払出部材１６と、球路３４に供給された遊技球Ｐを賞球ルートＡへの払い出しから球抜ルートＢへの払い出しに切り替え可能な切替部材４２とを備えている。切替部材４２は、遊技球Ｐを通過させることができる通過口４２ａを有する略円柱体の揺動体または回転体から構成されている。【選択図】図９
2017000524.tif 000002
【特許請求の範囲】
【請求項１】
球路に供給された遊技球を賞球ルートへ払い出し可能な払出部材と、
球路に供給された遊技球を賞球ルートへの払い出しから球抜ルートへの払い出しに切り替え可能な切替部材と、を備えている遊技機における賞球装置であって、
切替部材は、遊技球を通過させることができる通過口を有する略円柱体の揺動体または回転体から構成されている遊技機における賞球装置。
【請求項２】
請求項１に記載の遊技機における賞球装置であって、
揺動体または回転体の操作は、ツマミによって行われている遊技機における賞球装置。
【請求項３】
請求項２に記載の遊技機における賞球装置であって、
ツマミは揺動体または回転体に対して一体的に形成されている遊技機における賞球装置。
【請求項４】
請求項１〜３のいずれかに記載の遊技機における賞球装置であって、
揺動体または回転体の先端側は、括れ状に形成されている遊技機における賞球装置。
【請求項５】
請求項１〜４のいずれかに記載の遊技機における賞球装置であって、
揺動体または回転体は、略コ字状に形成されている遊技機における賞球装置。
【発明の詳細な説明】
【技術分野】
【０００１】
本発明は、遊技機における賞球装置に関し、詳しくは、遊技者に賞球を払い出す遊技機における賞球装置に関する。
【背景技術】
【０００２】
従来、遊技場（例えば、パチンコ屋等のホール）の遊技島には、複数の遊技機（例えば、パチンコ機）が配置されている。これら遊技機で遊技された遊技球は、遊技機ごとに回収された後に遊技島の外部で洗浄されている。この洗浄された遊技球は、遊技島に戻されて各遊技機の遊技枠に組み付けられている球補給タンクに貯留されている。いわゆる、遊技球循環システムとなっている。そして、この球補給タンクに貯留された遊技球を各遊技機の遊技枠に組み付けられている賞球装置を介して賞球として遊技者に対して払い出したり、遊技機に隣接する球貸機を介して貸球として遊技者に対して払い出したりしている。ここで、下記特許文献１には、賞球装置１０７において、その内部の遊技球ｐを抜くための２部材から成る切替部材１４２が備えられている技術が開示されている（図１６参照）。この切替部材１４２の操作により、遊技球ｐの払い出しルートを賞球ルートａから球抜ルートｂへ切り替えることができる。そのため、遊技機を別の遊技島へ移動するとき、予め、賞球装置１０７の内部の遊技球ｐを抜くことができる。したがって、遊技球ｐが遊技場の床フロアにばら撒かれることを防止できる。
【先行技術文献】
【特許文献】
【０００３】
【特許文献１】特開２０１３−２３３３３９号公報
【発明の概要】
【発明が解決しようとする課題】
【０００４】
しかしながら、上述した特許文献１の技術では、賞球装置１０７の内部の遊技球ｐを抜いている作業中（遊技球ｐの抜き作業中）に操作した切替部材１４２を戻そうとすると、この戻そうとした切替部材１４２の先端が遊技球ｐに噛み込んでしまうことがあった。そのため、誤って、この抜き作業を行ってしまった場合、遊技球ｐの抜きが完了するまで（遊技球ｐを全て抜き終わるまで）この操作した切替部材１４２を戻すことができなかった。
【０００５】
本発明は、このような課題を解決しようとするもので、その目的は、遊技球の抜き作業中でも、切替部材の戻しを行うことができる遊技機における賞球装置を提供することである。
【課題を解決するための手段】
【０００６】
本発明は、上記の目的を達成するためのものであって、以下のように構成されている。
請求項１に記載の発明は、球路に供給された遊技球を賞球ルートへ払い出し可能な払出部材と、球路に供給された遊技球を賞球ルートへの払い出しから球抜ルートへの払い出しに切り替え可能な切替部材とを備えている遊技機における賞球装置である。切替部材は、遊技球を通過させることができる通過口を有する略円柱体の揺動体または回転体から構成されている。
【０００７】
請求項１の発明によれば、従来技術と同様に、切替部材の操作（例えば、切替部材に形成されているツマミを縦向きから横向きに９０度回転させる操作）により、賞球装置の内部の遊技球を通過口を介して抜くことができる。なお、誤って、この抜き作業を行ってしまった場合でも、操作した切替部材を戻す（ツマミを横向きから縦向きに９０度戻す、または、ツマミを横向きから縦向きに更に９０度回転させる）ことができる。なぜなら、従来技術と異なり、切替部材は略円柱体を成すように形成されているため、この操作した切替部材を戻すとき、この戻す切替部材が遊技球に噛み込むことがないからである。したがって、遊技球の抜き作業中でも、切替部材の戻しを行うことができる。
【０００８】
また、請求項２に記載の発明は、請求項１に記載の遊技機における賞球装置であって、
揺動体または回転体の操作は、ツマミによって行われている。
【０００９】
請求項２の発明によれば、切替部材を簡便に操作できる。
【００１０】
また、請求項３に記載の発明は、請求項２に記載の遊技機における賞球装置であって、
ツマミは揺動体または回転体に対して一体的に形成されている。
【００１１】
請求項３の発明によれば、切替部材に対してツマミが別体を成すように形成されている場合と比較すると、これら切替部材やツマミの組み付けの作業性を向上させることができる。
【００１２】
また、請求項４に記載の発明は、請求項１〜３のいずれかに記載の遊技機における賞球装置であって、揺動体または回転体の先端側は、括れ状に形成されている。
【００１３】
請求項４の発明によれば、遊技球を球抜ルートに払い出している途中状態から賞球ルートへの払い出しに切り替えた後、球抜ルートへの遊技球の払い出しを再開して全ての遊技球の払い出しが完了したとき、遊技球の留まりを１個に抑えることができる。なぜなら、この括れ状に形成されていないと、遊技球が２個留まってしまうからである。
【００１４】
また、請求項５に記載の発明は、請求項１〜４のいずれかに記載の遊技機における賞球装置であって、揺動体または回転体は、略コ字状に形成されている。
【００１５】
請求項５の発明によれば、球抜ルートでの払い出しを中止したとき、切替部材の通過口に遊技球が留まることを防止できる。
【図面の簡単な説明】
【００１６】
【図１】実施例に係る遊技機の正面図である。
【図２】図１の遊技機を後側から見た背面図である。
【図３】図２の賞球装置を前側から見た斜視図である。
【図４】図３の分解図である。
【図５】図４をさらに分解した分解図である。
【図６】図３を後側から見た斜視図である
【図７】図６の分解図である。
【図８】図２の賞球装置の電気的な構成を示すブロック図である。
【図９】図３の賞球装置の動作を示す模式図であり、遊技球の払い出しが行われていない状態を示している。
【図１０】図９に示す状態から、遊技球が賞球ルートへ払い出されている状態を示している。
【図１１】図１０に示す状態から、遊技球が球抜ルートへ払い出されている状態を示している。
【図１２】図１１において、遊技球の払い出しを中止した状態を示している。
【図１３】図１２に示す状態から、球抜ルートへの遊技球の払い出しを再開して全ての遊技球の払い出しが完了した状態を示している。
【図１４】賞球装置の切替部材の変形例である。
【図１５】図２において、賞球装置の組み付けの向きを変えた形態を示す図である。
【図１６】従来技術における賞球装置の縦断面模式図である。
【発明を実施するための形態】
【００１７】
以下、本発明を実施するための形態を、図１〜１３を用いて説明する。なお、遊技機の例として、パチンコ機１を説明することとする。このパチンコ機１は、従来技術の説明と同様に、遊技場の遊技島（いずれも図示しない）に複数配置されている。そして、この遊技場の各パチンコ機１で遊技された遊技球Ｐは、従来技術の説明と同様に、パチンコ機１ごとに回収された後に遊技島の外部で洗浄される、いわゆる、遊技球循環システムとなっている。
【００１８】
このパチンコ機１について詳述すると、このパチンコ機１は、主として、遊技島のベースに組み付けられる外枠２と、この外枠２に対して開閉可能にヒンジ結合され遊技パネル３ａを有する遊技枠３と、この遊技枠３に対して開閉可能にヒンジ結合されるガラス枠４とから構成されている（図１〜２参照）。この遊技枠３には、従来技術で説明した球補給タンク５と、賞球装置７とが組み付けられている（図２参照）。
【００１９】
ここで、賞球装置７について詳述すると、この賞球装置７は、ケース１０と、このケース１０に組み付けられるプレート３０と、このプレート３０に組み付けられるカバー５０とから構成されている（図３〜７参照）。
【００２０】
このケース１０の内面１０ａとプレート３０の裏面３０ｂとの間には、歯車１２がこの間を橋渡すようにそれぞれ枢着されている。また、このケース１０の内面１０ａとプレート３０の裏面３０ｂとの間には、スプロケット１６がこの間を橋渡すように枢着されている。このとき、スプロケット１６は、賞球路３６と球抜路３８との分岐の基端（根元）に枢着されている。すなわち、スプロケット１６は、賞球路３６と球抜路３８との間に位置するように枢着されている。このスプロケット１６の外周には、歯車１２に噛み合う歯車１６ａと、その周方向に均等な間隔を成す３個の凹み１６ｂと、同３個の遮蔽板１６ｄとが形成されている。
【００２１】
この凹み１６ｂは、遊技球Ｐが１球だけ入り込むことができるように形成されている。また、この凹み面１６ｃは、遊技球Ｐが賞球ルートＡへスムーズに払い出されるように滑らかな形状となっている。このプレート３０の裏面３０ｂには、スプロケット１６の遮蔽板１６ｄを検出可能な第１のフォトセンサ２０がビスＢ１を介して組み付けられている。これらケース１０とプレート３０とは、３本のビスＢ２、Ｂ３、Ｂ４を介して組み付けられている。
【００２２】
また、プレート３０の表面３０ａには、球路３４と、この球路３４が２股に分かれた賞球路３６と球抜路３８とが形成されている。なお、この「賞球路３６と球抜路３８」の記載は、「賞球ルートＡと球抜ルートＢ」の記載と実質的に同一である。また、このプレート３０の表面３０ａには、ビスＢ５、Ｂ６を介してステッピングモータ４０が組み付けられている。このステッピングモータ４０の駆動軸（図示しない）は、プレート３０の厚みを貫通するように形成されている。
【００２３】
この駆動軸の先端には、駆動歯車４０ａが固着されている。この駆動歯車４０ａは、歯車１２に噛み合い可能となっている。そのため、このステッピングモータ４０を駆動させると、歯車１２を介してスプロケット１６を回転させることができる。また、このプレート３０の表面３０ａとカバー５０の内面５０ａとの間には、この間を橋渡すように略円柱体を成す切替部材４２が枢着されている。
【００２４】
この切替部材４２には、遊技球Ｐを通過させることができる通過口４２ａが形成されている。また、この切替部材４２には、この枢着させた切替部材４２を回転させることができるツマミ４２ｂが一体を成すように形成されている。このツマミ４２ｂを９０度回転させると、切替部材４２を開閉させることができる。ここで言う切替部材４２の開とは、球路３４に供給された遊技球Ｐを通過口４２ａを介して球抜ルートＢへ払い出すことができる状態のことである。すなわち、球路３４と切替部材４２の通過口４２ａとが連通した状態のことである。
【００２５】
一方、切替部材４２の閉とは、球路３４に供給された遊技球Ｐを賞球ルートＡへ払い出すことができる状態のことである。すなわち、球路３４と切替部材４２の通過口４２ａとが連通していない状態のことである。また、この切替部材４２の先端側（ツマミ４２ｂが形成されている側に対して反対側）は、括れ状に形成（括れ４２ｃが形成）されている（図５参照）。また、このプレート３０の表面３０ａとカバー５０の内面５０ａとの間には、この間を橋渡すように略コ字状の第２のフォトセンサ４４が組み付けられている。これにより、賞球路３６を通過する遊技球Ｐを検出できる。また、このプレート３０の表面３０ａには、ビスＢ７を介してマイクロスイッチ４６が組み付けられている。
【００２６】
また、このプレート３０の表面３０ａとカバー５０の内面５０ａとの間には、この間を橋渡すようにスイッチレバ４８が枢着されている。このスイッチレバ４８は、球路３４を遊技球Ｐが通過すると、このスイッチレバ４８自身がマイクロスイッチ４６の検出片４６ａを押し込むように枢着されている。これらプレート３０とカバー５０とは、５本のビスＢ８、Ｂ９、Ｂ１０、Ｂ１１、Ｂ１２を介して組み付けられている。
【００２７】
次に、上述した賞球装置７の電気的な構成を説明する（図８参照）。遊技パネル３ａの後側には、制御装置６０が組み付けられている。この制御装置６０には、第１のフォトセンサ２０と、ステッピングモータ４０と、第２のフォトセンサ４４と、マイクロスイッチ４６とが電気的に接続されている。これにより、制御装置６０からの指令に基づいてステッピングモータ４０を駆動させることができるため、上述したようにスプロケット１６を回転させることができる。
【００２８】
なお、第１のフォトセンサ２０がスプロケット１６の３個の遮蔽板１６ｄをそれぞれ検出できるため、制御装置６０は、１／３回転単位でスプロケット１６を回転させることができる。そのため、スプロケット１６を１／３回転させると、賞球装置７は賞球ルートＡへ遊技球Ｐを１球だけ払い出すことができる。これと同様に、スプロケット１６を２／３回転させると、賞球装置７は賞球ルートＡへ遊技球Ｐを２球だけ払い出すことができる。
【００２９】
これと同様に、スプロケット１６を１回転させると、賞球装置７は賞球ルートＡへ遊技球Ｐを３球だけ払い出すことができる。以降、これらと同様に、スプロケット１６を１／３×ｎ回転させると、賞球装置７は賞球ルートＡへ遊技球Ｐをｎ球だけ払い出すことができる。したがって、賞球装置７は、所望する数量だけ遊技球Ｐを賞球路３６へ払い出すことができる。
【００３０】
また、制御装置６０は、ステッピングモータ４０を駆動させる指令（払い出す遊技球Ｐの数量）と、第２のフォトセンサ４４が検出した遊技球Ｐの数量とを比較して、この比較が一致しているか否かの判定を実施している。この判定が不一致の場合、遊技球Ｐの球詰まり等が考えられる。したがって、制御装置６０は遊技者や遊技場のスタッフに対してエラーを発信している。
【００３１】
また、制御装置６０は、マイクロスイッチ４６の検出片４６ａが所定時間（例えば、数秒）押し込まれていないことを検出すると、球路３４における遊技球Ｐの詰まりと判断できる。その場合、制御装置６０は遊技者や遊技場のスタッフに対してエラーを発信している。賞球装置７は、このように構成されている。
【００３２】
なお、図２に戻って、球補給タンク５の出口側と賞球装置７の入口側（球路３４）とは、第１の球樋６を介して接続されている。これにより、球補給タンク５に貯留されている遊技球Ｐを賞球装置７の球路３４に供給できる。また、賞球装置７の出口側（賞球路３６、球抜路３８）には、第２の球樋８が接続されている。
【００３３】
この第２の球樋８には、２本の球路（第１の球路８ａ、第２の球路８ｂ）が形成されている。この第１の球路８ａは、その入口側が賞球路３６に連通すると共に、その出口側が上皿（図示しない）に連通している。また、この第２の球路８ｂは、その入口側が球抜路３８に連通すると共に、その出口側が開放状態となっている。
【００３４】
続いて、図９〜１３を参照して、上述した賞球装置７の動作を説明する。図９に示すように、通常時（遊技者がパチンコ機１を遊技しているとき、遊技者がパチンコ機１を遊技可能なとき）、賞球装置７の球路３４には、第１の球樋６を介して遊技球Ｐが自重により供給されている。このとき、切替部材４２のツマミ４２ｂは、切替部材４２が閉の状態を成すように、その長手方向が縦向き（以下、単に、「縦向き」と記す）に設定されている。
【００３５】
そのため、賞球装置７は、制御装置６０からの指令に基づいて、所望する数量だけ遊技球Ｐを賞球ルートＡへ払い出すことができる（図１０参照）。したがって、賞球ルートＡから払い出された遊技球Ｐを上皿に供給できる。すなわち、遊技球Ｐを賞球として遊技者に対して払い出すことができる。この通常時から、パチンコ機１を別の遊技島へ移動するとき、切替部材４２のツマミ４２ｂをその長手方向が横向き（以下、単に、「横向き」と記す）なるように９０度回転させる。
【００３６】
すると、切替部材４２が開の状態を成すため、球補給タンク５、第１の球樋６、球路３４の全ての遊技球Ｐを切替部材４２の通過口４２ａを介して球抜ルートＢへ払い出すことができる（図１１参照）。そのため、球抜ルートＢから払い出された遊技球Ｐをドル箱等（図示しない）に受け止めることができる。したがって、遊技球Ｐが遊技場の床フロアにばら撒かれることを防止できる。
【００３７】
本発明の実施例に係る賞球装置７は、上述したように構成されている。この構成によれば、プレート３０の表面３０ａとカバー５０の内面５０ａとの間には、この間を橋渡すように略円柱体を成す切替部材４２が枢着されている。この切替部材４２には、遊技球Ｐを通過させることができる通過口４２ａが形成されている。そのため、従来技術と同様に、切替部材４２の操作（ツマミ４２ｂを縦向きから横向きに９０度回転させる操作）により、賞球装置７の内部の遊技球Ｐを通過口４２ａを介して抜くことができる。なお、誤って、この抜き作業を行ってしまった場合でも、操作した切替部材４２を戻す（ツマミ４２ｂを横向きから縦向きに９０度戻す、または、ツマミ４２ｂを横向きから縦向きに更に９０度回転させる）ことができる。なぜなら、従来技術と異なり、切替部材４２は略円柱体を成すように形成されているため、この操作した切替部材４２を戻すとき、この戻す切替部材４２が遊技球Ｐに噛み込むことがないからである。したがって、遊技球Ｐの抜き作業中でも、切替部材４２の戻しを行うことができる（図１２参照）。なお、上述したように、ツマミ４２ｂを横向きから縦向きに９０度戻して使用する場合、切替部材４２は揺動体となり、ツマミ４２ｂを横向きから縦向きに更に９０度回転させて使用する場合、切替部材４２は回転体となる。
【００３８】
また、この構成によれば、切替部材４２の操作はツマミ４２ｂによって行われている。そのため、切替部材４２を簡便に操作できる。
【００３９】
また、この構成によれば、切替部材４２には、ツマミ４２ｂが一体を成すように形成されている。そのため、切替部材４２に対してツマミ４２ｂが別体を成すように形成されている場合と比較すると、これら切替部材４２やツマミ４２ｂの組み付けの作業性を向上させることができる。
【００４０】
また、この構成によれば、切替部材４２の先端側は、括れ状に形成（括れ４２ｃが形成）されている。そのため、遊技球Ｐを球抜ルートＢに払い出している途中状態から賞球ルートＡへの払い出しに切り替えた後（図１２参照）、球抜ルートＢへの遊技球の払い出しを再開して全ての遊技球Ｐの払い出しが完了したとき（図１３参照）、遊技球Ｐの留まりを１個に抑えることができる。なぜなら、この括れ４２ｃが形成されていないと、図１３の状態において、遊技球Ｐが２個留まってしまうからである。
【００４１】
上述した内容は、あくまでも本発明の一実施の形態に関するものであって、本発明が上記内容に限定されることを意味するものではない。
【００４２】
実施例では、切替部材４２は、遊技球Ｐを通過させることができる通過口４２ａを有する略円柱体を成すように形成されている形態を説明した。しかし、これに限定されるものでなく、切替部材４２は、遊技球Ｐを通過させることができる通過口４２ａを有する略コ字体を成すように形成されていても構わない（図１４参照）。その場合、遊技球Ｐの抜き作業中に切替部材４２の戻しを行っても、図１２に示すように、切替部材４２の内部に遊技球Ｐが留まることを防止できる。
【００４３】
また、実施例では、払出部材がスプロケット１６である形態を説明した。しかし、これに限定されるものでなく、払出部材は賞球路３６を遮蔽や開放できる遮蔽板等であっても構わない。
【００４４】
また、図１４に示すように、切替部材４２が略コ字状に形成されていても構わない。その場合、球抜ルートＢでの払い出しを中止したとき（図１２参照）、切替部材４２の通過口４２ａに遊技球Ｐが留まることを防止できる（図１４参照）。
【００４５】
また、図１５に示すように、遊技枠３に対する賞球装置７の組み付けを９０度回転させてもよい。
【符号の説明】
【００４６】
１      パチンコ機（遊技機）
７      賞球装置
１６    スプロケット（払出部材）
３４    球路
４２    切替部材
Ａ      賞球ルート
Ｂ      球抜ルート
Ｐ      遊技球
【図１】
2017000524.tif 000003
【図２】
2017000524.tif 000004
【図３】
2017000524.tif 000005
【図４】
2017000524.tif 000006
【図５】
2017000524.tif 000007
【図６】
2017000524.tif 000008
【図７】
2017000524.tif 000009
【図８】
2017000524.tif 000010
【図９】
2017000524.tif 000011
【図１０】
2017000524.tif 000012
【図１１】
2017000524.tif 000013
【図１２】
2017000524.tif 000014
【図１３】
2017000524.tif 000015
【図１４】
2017000524.tif 000016
【図１５】
2017000524.tif 000017
【図１６】
2017000524.tif 000018